(57)【要約】【課題】装置構成を複雑化することなく各センサユニットの設定を簡易に行いうる構成を提供する。【解決手段】センサシステム１００は、複数のセンサユニット１が隣接配置され、各センサユニット１は、被検出物の検出を行う検出手段と、設定された処理内容に従って被検出物の検出に関する処理を実行する処理手段とを備え、処理手段にて実行する処理内容の設定が可能とされる設定手段と、一方に隣接配置される他のセンサユニットからの伝送信号を受信可能な受信手段と、受信手段にて伝送信号が受信された場合に、他方に隣接される他のセンサユニットへ伝送信号を送信する送信手段とを備えている。さらに、設定された処理内容に基づいて検出に関する処理を処理手段に実行させるとともに、その処理内容を伝送信号として送信手段から送信させる制御手段を備えている。【選択図】図２
2007272827.tif 000002
【特許請求の範囲】
【請求項１】
複数のセンサユニットが隣接配置されたセンサシステムであって、
各センサユニットは、
被検出物の検出を行う検出手段と、
設定された処理内容に従って前記被検出物の検出に関する処理を実行する処理手段と、
前記処理手段にて実行する前記処理内容の設定が可能とされる設定手段と、
一方に隣接配置される他のセンサユニットからの伝送信号を受信可能な受信手段と、
前記受信手段にて前記伝送信号が受信された場合に、他方に隣接される他のセンサユニットへ前記伝送信号を送信する送信手段と、
前記設定手段によって設定された前記処理内容に基づいて前記検出に関する処理を前記処理手段に実行させるとともに、前記処理内容を前記伝送信号として前記送信手段から送信させる制御手段と、
を備えることを特徴とするセンサシステム。
【請求項２】
前記制御手段は、
前記受信手段にて隣接配置される他のセンサユニットから処理内容に関する伝送信号が受信されると、その処理内容に基づいて前記設定手段で設定される処理内容を設定変更する構成をなすことを特徴とする請求項１に記載のセンサシステム。
【請求項３】
前記設定手段は、
前記処理内容とともに、設定対象が自己のセンサユニットのみか、他のセンサユニットを含むかを切替可能とされており、
前記制御手段は、
前記設定手段にて前記設定対象が自己のセンサユニットのみとされた場合、前記処理内容に基づいて前記検出に関する処理を自己のセンサユニットの前記処理手段に実行させ、
前記設定対象が、他のセンサユニットを含むとされた場合、前記処理内容に基づく前記検出に関する処理を自己のセンサユニットの前記処理手段に実行させると共に、前記処理内容を処理させる命令を前記伝送信号として前記送信手段に送信させることを特徴とする請求項１又は請求項２に記載のセンサシステム。
【請求項４】
前記設定手段は、前記処理内容をあらかじめ用意された複数の処理内容の中から選択的に設定可能とされていることを特徴とする請求項１ないし請求項３のいずれかに記載のセンサシステム。
【請求項５】
前記処理手段は、前記被検出物の前記検出に関する処理として、投光停止処理及び閾値設定処理の少なくともいずれかを実行することを特徴とする請求項４に記載のセンサシステム。
【請求項６】
外部よりトリガ信号を入力可能な入力手段を備え、
前記処理手段は、前記入力手段により前記トリガ信号が入力された場合に前記処理内容に基づいて前記検出に関する処理を実行することを特徴とする請求項１ないし請求項５のいずれかに記載のセンサシステム。
【請求項７】
各センサユニットは、
自己の前記処理手段に対し、前記受信手段にて受信された命令に基づいて前記検出に関する処理を実行させるか、自己の前記設定手段にて設定された前記処理内容に基づいて前記検出に関する処理を実行させるか、を切換可能な切換手段を備えることを特徴とする請求項１ないし請求項６のいずれかに記載のセンサシステム。
【請求項８】
複数のセンサユニットが隣接配置されたセンサシステムに用いられるセンサユニットであって、
被検出物の検出を行う検出手段と、
設定された処理内容に従って前記被検出物の検出に関する処理を実行する処理手段と、
前記処理手段にて実行する前記処理内容の設定が可能とされると共に、他のセンサユニットに対する前記処理内容の設定が可能とされた設定手段と、
一方に隣接配置される他のセンサユニットからの伝送信号を受信可能な受信手段と、
前記受信手段にて前記伝送信号が受信された場合に、他方に隣接される他のセンサユニットへ前記伝送信号を送信する送信手段と、
前記設定手段又は他のセンサユニットによって設定された前記処理内容を前記処理手段に実行させるとともに、他のセンサユニットに対する前記処理内容を前記伝送信号として前記送信手段から送信させる制御手段と、
を備えることを特徴とするセンサユニット。
【発明の詳細な説明】
【技術分野】
【０００１】
本発明は、センサシステム及びセンサユニットに関する。
【背景技術】
【０００２】
従来から、複数台のセンサユニットが予め順番で隣接配置され、各センサユニットは、上位のセンサユニットからの伝送信号を受信し、下位のセンサユニットに伝送信号を送信する、いわゆるバケツリレー方式でデータ伝送を行うセンサシステムがある。
【特許文献１】特開２００３−２２３６９４公報
【発明の開示】
【発明が解決しようとする課題】
【０００３】
ところで、上記のようなセンサシステムでは、各センサユニットごとに各種設定を行うことが可能とされているが、例えば全てのセンサユニットについて一括設定したい場合にセンサユニットごと個別に設定する構成であると、設定作業が煩わしくなる。また、各センサユニットの設定を一括して行うような専用のコントローラを設けると、装置構成が複雑化するとともにコスト的にも不利となる。
【０００４】
本発明は上記のような事情に基づいて完成されたものであって、装置構成を複雑化することなく各センサユニットの設定を簡易に行いうる構成を提供することを目的とする。
【課題を解決するための手段】
【０００５】
上記の目的を達成するための手段として、請求項１の発明は、
複数のセンサユニットが隣接配置されたセンサシステムであって、
各センサユニットは、
被検出物の検出を行う検出手段と、
設定された処理内容に従って前記被検出物の検出に関する処理を実行する処理手段と、
前記処理手段にて実行する前記処理内容の設定が可能とされる設定手段と、
一方に隣接配置される他のセンサユニットからの伝送信号を受信可能な受信手段と、
前記受信手段にて前記伝送信号が受信された場合に、他方に隣接される他のセンサユニットへ前記伝送信号を送信する送信手段と、
前記設定手段によって設定された前記処理内容に基づいて前記検出に関する処理を前記処理手段に実行させるとともに、前記処理内容を前記伝送信号として前記送信手段から送信させる制御手段と、
を備えることを特徴とする。
【０００６】
請求項２の発明は、請求項１に記載のセンサシステムにおいて、
前記制御手段は、
前記受信手段にて隣接配置される他のセンサユニットから処理内容に関する伝送信号が受信されると、その処理内容に基づいて前記設定手段で設定される処理内容を設定変更する構成をなすことを特徴とする。
【０００７】
請求項３の発明は、請求項１又は請求項２に記載のセンサシステムにおいて、
前記設定手段は、
前記処理内容とともに、設定対象が自己のセンサユニットのみか、他のセンサユニットを含むかを切替可能とされており、
前記制御手段は、
前記設定手段にて前記設定対象が自己のセンサユニットのみとされた場合、前記処理内容に基づいて前記検出に関する処理を自己のセンサユニットの前記処理手段に実行させ、
前記設定対象が、他のセンサユニットを含むとされた場合、前記処理内容に基づく前記検出に関する処理を自己のセンサユニットの前記処理手段に実行させると共に、前記処理内容を処理させる命令を前記伝送信号として前記送信手段に送信させることを特徴とする。
【０００８】
請求項４の発明は、請求項１ないし請求項３のいずれかに記載のセンサシステムにおいて、
前記設定手段は、前記処理内容をあらかじめ用意された複数の処理内容の中から選択的に設定可能とされていることを特徴とする。
【０００９】
請求項５の発明は、請求項４に記載のセンサシステムにおいて、
前記処理手段は、前記被検出物の前記検出に関する処理として、投光停止処理及び閾値設定処理の少なくともいずれかを実行することを特徴とする。
【００１０】
請求項６の発明は、請求項１ないし請求項５のいずれかに記載のセンサシステムにおいて、
外部よりトリガ信号を入力可能な入力手段を備え、
前記処理手段は、前記入力手段により前記トリガ信号が入力された場合に前記処理内容に基づいて前記検出に関する処理を実行することを特徴とする。
【００１１】
請求項７の発明は、請求項１ないし請求項６のいずれかに記載のセンサシステムにおいて、
各センサユニットは、
自己の前記処理手段に対し、前記受信手段にて受信された命令に基づいて前記検出に関する処理を実行させるか、自己の前記設定手段にて設定された前記処理内容に基づいて前記検出に関する処理を実行させるか、を切換可能な切換手段を備えることを特徴とする。
【００１２】
請求項８の発明は、
複数のセンサユニットが隣接配置されたセンサシステムに用いられるセンサユニットであって、
被検出物の検出を行う検出手段と、
設定された処理内容に従って前記被検出物の検出に関する処理を実行する処理手段と、
前記処理手段にて実行する前記処理内容の設定が可能とされると共に、他のセンサユニットに対する前記処理内容の設定が可能とされた設定手段と、
一方に隣接配置される他のセンサユニットからの伝送信号を受信可能な受信手段と、
前記受信手段にて前記伝送信号が受信された場合に、他方に隣接される他のセンサユニットへ前記伝送信号を送信する送信手段と、
前記設定手段又は他のセンサユニットによって設定された前記処理内容を前記処理手段に実行させるとともに、他のセンサユニットに対する前記処理内容を前記伝送信号として前記送信手段から送信させる制御手段と、
を備えることを特徴とする。
【発明の効果】
【００１３】
＜請求項１、８の発明＞
請求項１、８の構成によれば、１つのセンサユニットの設定を行うと、その設定を他のセンサユニットにおいて利用できるようになる。従って、装置構成を複雑化することなく各センサユニットの設定を簡易に行うことができる。。
【００１４】
＜請求項２の発明＞
請求項２の構成によれば、他のセンサユニットからの伝送信号に応じてセンサユニットの設定変更を行う好適例となる。
【００１５】
＜請求項３の発明＞
請求項３の構成によれば、設定手段にて設定される処理内容を自己のみの設定にするのか、他のセンサユニットにも利用するのかを切り替えることができる。よって、状況に応じた適切な設定が可能となる。
【００１６】
＜請求項４の発明＞
請求項４の構成によれば、設定変更を容易に行うための好適構成となる。
【００１７】
＜請求項５の発明＞
請求項５の構成によれば、一括設定の要請の大きい投光停止設定や閾値設定を一括設定できることとなる。
【００１８】
＜請求項６の発明＞
請求項６の構成によれば、処理手段によって処理するタイミングを外部から設定できるようになる。
【００１９】
＜請求項７の発明＞
請求項７の構成によれば、設定手段の設定によって処理を実施させるか、通信によって処理を実施させるかを選択的に切り替えることができる。
【発明を実施するための最良の形態】
【００２０】
＜実施形態１＞
本発明の実施形態１を図１ないし図８によって説明する。
１．全体構成
まず、本発明に係るセンサシステムの全体構成について図１及び図２を参照して説明する。
図１のセンサシステム１００は同一構造の複数台（図１では４台）の光ファイバセンサユニット１（請求項に記載のセンサユニットに相当）を備え、夫々の光ファイバセンサユニット１から導出されている光ファイバＦの先端を検出領域に向かって配置し、被検出物を検出するものであって、各センサユニットの受光量モニタリング及び感度調整を制御ユニット２にて行なうようにしたものである。なお、光ファイバセンサユニット１は、以下において単にセンサユニット１とも称する。
【００２１】
尚、以下の説明において、光ファイバセンサユニット１全体を指す場合にはセンサユニット１と称し、個々の光ファイバセンサユニット１を指す場合には、左方の光ファイバセンサユニット１から第１のセンサユニット１、第２のセンサユニット１、第３のセンサユニット１、第４のセンサユニット１と称する。
【００２２】
各センサユニット１は箱状をなし、所定位置に形成されたファイバ挿入孔に光ファイバＦの先端が挿入されている。また、センサユニット１の一方の側面（ここでは右側面）には投光素子１２が設けられ、他方の側面（ここでは左側面）には受光素子１１が設けられている。
【００２３】
センサユニット１は夫々が密接して相隣接するセンサユニット１の投光素子１２及び受光素子１１が対向した状態となっている。
【００２４】
次に、センサシステム１００を構成するセンサユニット１の電気的構成を説明する。
（送信のための構成）
図１、図２に示すように、センサユニット１のハウジングには操作部１９が設けられており、そこに設けた設定スイッチを操作することによって通信相手のセンサユニットを特定するアドレスの入力と、そのセンサユニットが実行すべきコマンドを入力することができる。この設定スイッチのスイッチ状態はＣＰＵ１５に取込まれ、ここで制御信号（伝送信号）を生成して、投光回路１６に与える。投光回路１６はその伝送信号に基づいて投光素子１２に駆動電流を供給して伝送信号を光として隣接する他のセンサユニット１に送信する。なお、投光素子１２及び投光回路１６は、特許請求の範囲でいう送信手段に相当し、隣接する他のセンサユニットに対して伝送信号を送信する構成をなしている。また、ＣＰＵ１５は、検出手段、処理手段、設定手段、制御手段、切換手段に相当する。
【００２５】
（受信のための構成）
各センサユニット１では、受光素子１１で光として受けた伝送信号がアナログ信号に変換され、受光回路１４にてディジタル信号に変換されてＣＰＵ１５に与えられる。この受光素子１１と受光回路１４は、特許請求の範囲でいう受信手段に相当し、隣接する他のセンサユニットから伝送信号を受信する構成をなしている。
【００２６】
（コマンド処理）
ＣＰＵ１５では、伝送信号に含まれているアドレスと自己に設定されているアドレスとを照合し、同一であれば、同時に送出されてきたコマンドに対する処理を行なう。伝送信号に含まれているアドレスが自己に設定されているアドレスと異なっているときにはコマンドに対する処理を行なわず、その伝送信号をそのまま投光回路１６に送出し、投光回路１６から駆動電流を投光素子１２に供給して投光させる。
【００２７】
（検出処理）
尚、各センサユニット１は、投光部１７から光を投光して光ファイバを介して検出領域に光を照射し、検出領域からの光を受光部１８にてディジタル信号に変換して取り込み、この受光量データと内部に設置されている閾値とを比較して検出物体の有無を判断する検出動作を行なう。投光部１７は投光手段に相当するものであり、設定された投光周期で被検出対象に対して投光を行うように構成されている。受光部１８は受光手段に相当する。
【００２８】
図１の構成はあくまで一例であり、センサユニット１の数は様々とすることができる。図３は、センサユニット１の数を８とした例を示している。なお、図３と図１及び図２とはセンサユニット１の数が異なるが、センサユニット１の構成は同一である。
【００２９】
図３に示すように、本実施形態では、終端のセンサユニット１から図示しないコネクタ及びケーブルを介して先端のセンサユニット１に対して信号を返送できるように構成されており、各センサユニット１によりリング状の伝送路が形成されるようになっている。
【００３０】
上記構成に係るセンサシステム１００では、例えば第３のセンサユニット１の受光量を確認したい場合には、次のように行われる。まず、いずれかのセンサユニット１の操作部１９の設定スイッチから第３のセンサユニット１のアドレスと、受光量データ送信コマンドとを入力し、実行させる。すると、ＣＰＵ１５から隣接するセンサユニット１に第３のセンサユニット１のアドレスと、受光量データ送信コマンドとが含まれた伝送信号が送出される。その伝送信号は、第３のセンサユニット１以外では処理されずそのまま送信される。
【００３１】
第３のセンサユニット１では、伝送信号に含まれるアドレスが自己に設定されたアドレスと一致するから、伝送信号に含まれる受光量データ送信コマンドを実行して受光量のデータをデータ格納領域に付加する。そして、この伝送信号はリング状の伝送路によって操作を行ったセンサユニット１に伝送される。操作を行ったセンサユニット１では、伝送信号から受光量データを取りだすことができる。なお、ＣＰＵ１５は、検出手段に相当するものであり、上述のように受光手段の受光量に応じて被検出対象の検出動作を行うように機能する。
【００３２】
また、全てのセンサユニット１の受光量を確認したい場合には、いずれかのセンサユニット１の操作部１９の設定スイッチから全てのセンサユニット１のアドレスと、受光量データ送信コマンドとを入力すればよい。上記例は、伝送信号を送信する一例であり、伝送信号の種類は様々なものとすることができる。このようにして、コマンドとそれに応じたデータが伝送信号として送信されることとなる。
【００３３】
次に、本発明の特徴的処理について説明する。
上述したように、センサシステム１００は、複数のセンサユニット１が隣接配置されてなり、各センサユニット１は、被検出物の検出を行う検出手段、設定された処理内容に従って被検出物の検出に関する処理を実行する処理手段、処理手段にて実行する処理内容の設定が可能とされる設定手段として機能するＣＰＵ１５を有している。また、上述のように、一方に隣接配置される他のセンサユニット１からの伝送信号を受信可能な受信手段としての受光素子１１及び受光回路１４と、伝送信号が受信された場合に、他方に隣接される他のセンサユニットへ伝送信号を送信する送信手段としての投光素子１２及び投光回路１６を備えている。
【００３４】
このような構成をなすセンサユニット１では、制御手段に相当するＣＰＵ１５の処理により、設定された処理内容に基づいて検出に関する処理を実行するとともに（ＣＰＵ１５は処理手段に相当）、処理内容を伝送信号として送信手段から送信させることができるようになっている。ＣＰＵ１５は、隣接配置される他のセンサユニット１から処理内容に関する伝送信号（具体的には他のセンサユニットにて設定された処理内容を処理させる命令を含む伝送信号）が受信されると、その処理内容に基づいて当該センサユニット１にて設定される処理内容を設定変更する構成をなしている。
【００３５】
図４は設定処理の一例を概略的に示すフローチャートである。この処理は、センサユニット１が設定モードに設定された場合に実行されるものであり、具体的には、自己による設定が開始された場合、或いは外部から設定信号が送られてきた場合に開始される。即ち、センサユニット１は、設定モードに設定されると、操作部１９による設定及び外部からの設定を受け付けるようになっており、Ｓ１０以下の処理が実行される。まず、Ｓ１０にて設定が外部からの設定であるか否かを判断する。
【００３６】
外部からの設定ではない場合（即ち、自己による設定の場合）、Ｓ１０にてＮｏに進み、Ｓ２０にて設定内容を選択する。図５のように、操作部の１９の操作によって表示が切り替わるように構成されており、設定モードに設定された場合に、さらに所定操作を行うことにより自己による設定処理が行われることとなる。本実施形態では、あらかじめ用意された複数の処理内容の中から、設定対象となる処理内容を選択的に設定可能とされている。この予め用意された複数の処理内容の中には投光停止処理及び閾値設定処理が含まれている。Ｓ２０にて設定対象となる処理内容が選択されると、Ｓ３０にて具体的な設定処理がなされる。例えば、Ｓ２０にて閾値設定処理が選択されると、Ｓ３０では、その閾値を設定することとなる。Ｓ３０が終了すると、Ｓ４０にて他の内容も設定するかを判断し、設定する場合にはＳ４０にてＹｅｓに進む。設定しない場合には、Ｓ４０にてＮｏに進む。
【００３７】
そして、設定は自己のみかを判断する。ユーザにより他のセンサユニットの設定も指示される場合には、Ｓ５０にてＮｏに進み、自己のセンサユニット１の設定を更新するとともに、Ｓ８０にて他のセンサユニットを設定するコマンド及びアドレス情報を生成し、それらを含んだ伝送信号を送信する。例えば、自己の閾値が設定された場合に、Ｓ５０にてＮｏに進む場合には、その設定された閾値を全てのセンサユニット或いは特定のセンサユニットに反映するコマンド及びアドレスが生成され、伝送信号として送られる。また、自己において投光停止設定がなされた場合、全てのセンサユニット或いは特定のセンサユニットについても投光停止設定を行うコマンド及びアドレスが生成され、伝送信号として送られる。Ｓ５０にて設定が自己のみと指示された場合はＳ５０にてＹｅｓに進み、自己の設定を更新する。
【００３８】
一方、Ｓ１０にて外部からの設定と判断された場合、即ち、当該センサユニット１に対して他のセンサユニット１から処理内容を処理させる命令（例えば、他のセンサユニットにて設定された閾値を反映させる命令、或いは他のセンサユニットにてなされた投光停止設定を行う命令など）を含んだ伝送信号が送られてきた場合、Ｓ１０にてＹｅｓに進む。そして、外部からの設定を許可するか否かを判断する。本実施形態では、各センサユニット１において、外部からの設定を許可するか否かを切換可能に構成されており、外部からの設定を許可する許可モードとされている場合にはＳ９０にてＹｅｓに進み、Ｓ１００にて自己の設定の更新処理を行う。一方、許可しない不許可モードとされている場合にはＳ９０にてＮｏに進む。Ｓ９０にてＮｏの場合、或いはＳ１００の処理が終了した場合には外部からの伝送信号を他のセンサユニット１に対しても送信する。（Ｓ１１０）
【００３９】
このように、設定手段に相当するＣＰＵ１５は、処理内容の設定が可能とされるとともに、設定対象が自己のセンサユニットのみか、他のセンサユニットを含むかを切替可能とされており、設定対象が自己のセンサユニットのみとされた場合、処理内容に基づいて検出に関する処理を自己のセンサユニットの処理手段に実行させるようにしている。また、設定対象が、他のセンサユニットを含むとされた場合、処理内容に基づく検出に関する処理を自己のセンサユニットの処理手段に実行させると共に、自己に対して設定した処理内容を処理させる命令を伝送信号として送信手段に送信させるようにしている。
【００４０】
また、各センサユニットは、Ｓ９０において、外部からの設定を許可するか否かを判断しており、自己の処理手段（即ちＣＰＵ１５）に対し、受信された命令（即ち、他のセンサユニットにて設定された処理内容を処理させる命令）に基づいて検出に関する処理を実行させるか、自己にて設定された処理内容に基づいて検出に関する処理を実行させるか（換言すれば、他のセンサユニットからの処理内容を処理させる命令を無視するか）を切換可能とされている。
【００４１】
また、センサユニット１では、図２に示すように、外部接続ラインＬにより外部からトリガ信号を入力可能に構成されており、処理手段に相当するＣＰＵ１５は、トリガ信号が入力された場合に設定された処理内容に基づいて検出に関する処理（投光停止処理、閾値設定処理など）を実行する構成となっている。例えば、外部からのトリガ信号が入力された場合にその入力されるセンサユニット１についての投光停止処理を行い、その内容を他のセンサッユニットに送ることにより他のセンサユニットの投光停止処理を一括して設定するようなことも可能である。なお、外部接続ラインＬ及びＣＰＵ１５は入力手段に相当する。
【００４２】
以上のように、上記実施形態によれば、１つのセンサユニットの設定を行うと、その設定を他のセンサユニットにおいて利用できるようになる。従って、装置構成を複雑化することなく各センサユニットの設定を簡易に行うことができる。
【００４３】
また、設定手段にて設定される処理内容を自己のみの設定にするのか、他のセンサユニットにも利用するのかを切り替えることができるため、状況に応じた適切な設定が可能となる。
【００４４】
さらに、処理内容をあらかじめ用意された複数の処理内容の中から選択的に設定可能とされているため、設定を容易に行うことができる。
【００４５】
外部よりトリガ信号を入力可能な入力手段を備え、入力手段によりトリガ信号が入力された場合に処理内容に基づいて検出に関する処理を実行する構成となっているため、処理手段によって処理するタイミングを外部から設定できるようになる。
【００４６】
さらに、各センサユニットは、自己の処理手段に対し、受信手段にて受信された命令に基づいて検出に関する処理を実行させるか、自己の設定手段にて設定された処理内容に基づいて検出に関する処理を実行させるかを切換可能な切換手段を備えているため、設定手段の設定によって処理を実施させるか、通信によって処理を実施させるかを選択的に切り替えることができる。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４８】
（１）上記実施形態では、各センサユニットにおいてデータ受信用の受光素子、データ送信用の投光素子を設け、一方向にデータ送信を行える例を示したが、各センサユニットにおいてデータ受信用の受光素子とデータ送信用の投光素子をもう一組設け、双方向にデータ送信ができるようにしてもよい。この場合、制御ユニット２においては、データ受信用の受光素子が必要となり、終端ユニット４においてはデータ送信用の投光素子が必要になる。
（２）上記実施形態では、被検出物の検出に関する処理として、投光停止処理及び閾値設定処理を例示したが、検出に関する処理として「外部からの信号を受け付けない処理」であってもよい。即ち、センサユニット１の設定手段（ＣＰＵ１５）の設定により、当該センサユニット１に対して「外部からの信号を受け付けない設定」を行えるように構成し、かつ、他のセンサユニット１に対して「外部からの信号を受け付けない設定」を行う命令を送信できるようにしてもよい。このようにすれば、「外部からの信号を受け付けない設定」を一括して行うことができる。
【図面の簡単な説明】
【００４９】
【図１】本発明の実施形態１に係るセンサシステムの構成を例示するブロック図
【図２】実施形態１のセンサシステムの要部の外観を概略的に例示する概略図
【図３】センサユニット数を８としたセンサシステムにおけるデータの伝送について概念的に説明する説明図
【図４】設定処理の流れを例示するフローチャート
【図５】設定処理の表示例を示す図
【符号の説明】
【００５０】
１…光ファイバセンサユニット（センサユニット）
１１…受光素子（受信手段）
１２…投光素子（送信手段）
１４…受光回路（受信手段）
１５…ＣＰＵ（検出手段、処理手段、設定手段、制御手段、切換手段、入力手段）
１６…投光回路（送信手段）
１９…操作部
１００…センサシステム
【図１】
2007272827.tif 000003
【図２】
2007272827.tif 000004
【図３】
2007272827.tif 000005
【図４】
2007272827.tif 000006
【図５】
2007272827.tif 000007